(57)【要約】【課題】  本願は、容易に低音を増強して放射できるＡＶ機器、平面型表示装置を提供する。【解決手段】  本願の表示装置１０は、内部に空間を有する映像部２６と、スピーカ１７を備え、当該スピーカ１７から放出される音声を外部に出力する音声部２７と、に区分けされている表示装置１０において、当該映像部２６と音声部２７とを内部で連通する連通手段３０を備え、当該映像部２６の内部空間を音響容積として用いる。【選択図】      図２
2006229605.tif 000002
【特許請求の範囲】
【請求項１】
複数の空間を有するように内部が区分けされ、少なくとも当該１の空間にスピーカが備えられており、当該１の空間は、当該スピーカから放出される音声を外部に出力するための空間として機能するスピーカを有する機器であって、
当該１の空間と他の空間とを内部で連通する連通手段を備え、当該他の空間を音響容積として用いることを特徴とするスピーカを有する機器。
【請求項２】
内部に空間を有する映像部と、スピーカを備え、且つ当該スピーカから放出される音声を外部に出力する音声部と、に区分けされている表示装置において、当該映像部と音声部とを内部で連通する連通手段を備え、当該映像部の内部空間を音響容積として用いることを特徴とする表示装置。
【請求項３】
映像を表示する表示パネルと、
当該表示パネルの外周及び背面を覆うケース本体と、
当該ケース本体の内部を、前記表示パネルを含んで内部に空間を有する映像部と、スピーカを備え、且つ当該スピーカから放出される音声を外部に出力する音声部と、に仕切る仕切体と、
を具備する表示装置において、
前記仕切体には、当該映像部の内部と当該音声部の内部とを連通する孔が形成されていることを特徴とする表示装置。
【請求項４】
前記孔には、当該仕切体に対して鉛直方向に延びるダクトが形成されていることを特徴とする請求項３に記載の表示装置。
【請求項５】
前記ダクトを音響管として用いることを特徴とする請求項４に記載の表示装置。
【請求項６】
前記ダクトの長さ、または孔の大きさは、当該音声部から放射される音の低音が増強されるように当該映像部の容積によって設定されることを特徴とする請求項３乃至５に記載の表示装置。
【請求項７】
前記ダクトの長さは、当該ダクトの共振周波数を映像部の空間の共振周波数と一致するように設定されることを特徴とする請求項４、又は５に記載の表示装置。
【請求項８】
前記映像部と前記音声部とは、分離可能であることを特徴とする請求項３に記載の表示装置。
【請求項９】
前記ダクトは、前記仕切体から前記映像部の内部に向かって延びていることを特徴とする請求項４に記載の表示装置。
【請求項１０】
前記ダクトは、前記仕切体から前記音声部の内部に向かって延びていることを特徴とする請求項４に記載の表示装置。
【請求項１１】
前記音声部は、前記映像部の下部側又は前記映像部の左右双方側に設けられていることを特徴とする請求項３に記載の表示装置。
【発明の詳細な説明】
【技術分野】
【０００１】
本願は、音声を出力するスピーカを備えた表示装置に関する。
【背景技術】
【０００２】
最近の映像機器は、スリム化、省スペース化が重要視されている傾向にある。また、プラズマディスプレイ装置などの平面型表示装置は、薄型であるため、スピーカキャビネットの容積は小さくなっている。
【０００３】
さらに、当該平面型表示装置は、そのデザインを生かすため、スピーカや当該スピーカを配置しているキャビネットも小型化しつつある。
【０００４】
図１に従来の平面型表示装置の一例を示す。図示のように、従来の平面型表示装置４０は、内部が、映像を表示する表示パネル４１ａ等を含む映像表示空間４１と、スピーカ４２を備え、且つ当該スピーカにより放出される音声を外部に出力する音声出力空間４３と、を有しており、当該映像表示空間４１と音声出力空間４３とは仕切体４４により区分けされている。当該映像表示空間４１には、表示パネルや基板など映像を表示するための部材が配置されている。また、図示しないが、平面型表示装置４０の前面下方の左右には、スピーカから放出される音声を外部に出力するための開口が形成されている（特許文献１）。
【０００５】
【特許文献１】特開２００２−２１８３５８号公報
【発明の開示】
【発明が解決しようとする課題】
【０００６】
しかし、キャビネットの容量減少やスピーカの小型化は、低音再生には不利であって低音不足の音となるので、充分な低音再生を行うことができず、迫力のある音が得にくい状況となっている。
【０００７】
一方、信号ソースは、高品質化しており、より低音再生能力の向上が望まれている。
【０００８】
本願が解決しようとする課題には、上記した問題が一例として挙げられる。
【０００９】
そこで、本願は、容易に低音を増強して放射できるＡＶ機器、平面型表示装置を提供することをその目的の一例とする。
【課題を解決するための手段】
【００１０】
以下、本願について説明する。なお、本願の理解を容易にするために添付図面の参照符号を括弧書きにて付記するが、それにより本願が図示の形態に限定されるものではない。
【００１１】
請求項１に記載のスピーカを有する機器は、複数の空間を有するように内部が区分けされ、少なくとも１の空間にスピーカが備えられており、当該１の空間は、当該スピーカから放出される音声を外部に出力するための空間として機能するスピーカを有する機器であって、当該１の空間と他の空間とを内部で連通する連通手段を備え、当該他の空間を音響容積として用いることを特徴とする。
【００１２】
また、請求項２に記載の表示装置は、内部に空間を有する映像部と、スピーカ（１７）を備え、且つ当該スピーカから放出される音声を外部に出力する音声部（２７）と、に区分けされている表示装置（１０）において、当該映像部と音声部とを内部で連通する連通手段（２５ａ、３０）を備え、当該映像部の内部空間を音響容積として用いることを特徴とする。
【００１３】
また、請求項３に記載の平面型表示装置は、映像を表示する表示パネル（１２）と、当該表示パネルの外周及び背面を覆うケース本体（１３）と、当該ケース本体の内部を、前記表示パネルを含んで内部に空間を有する映像部と、スピーカを備え、且つ当該スピーカから放出される音声を外部に出力する音声部と、に仕切る仕切体（２５）と、を具備する表示装置において、前記仕切体には、当該映像部の内部と当該音声部の内部とを連通する孔（２５ａ）が形成されていることを特徴とする。
【発明を実施するための最良の形態】
【００１４】
以下、図２乃至図９を参照して、本願による平面型表示装置の各実施形態について説明する。なお、以下に説明する平面型表示装置本体１１とは、ＰＤＰ（plasma display panel）、液晶パネル、ＥＬ(electro luminescence)パネルなどを用いた薄型の映像表示装置をいう。
【００１５】
図２は平面型表示装置の正面図、図３は平面型表示装置の構造図である。また、図４乃至図９は、図２及び図３の平面型表示装置の他の実施形態を示し、図４は他の実施形態の平面型表示装置の構造図、図５は他の実施形態の平面型表示装置の正面図、図６は、図５に示す平面型表示装置の構成図、図７は他の実施形態の平面型表示装置の正面図、図８は他の実施形態の平面型表示装置を示し、図８（ａ）は構成図、図８（ｂ）は図８（ａ）の取付状態図、図９は他の実施形態の平面型表示装置を示し、図９（ａ）は構成図、図９（ｂ）は図９（ａ）の取付状態図である。なお、以下の説明では図２の正面及び背面を便宜的に前方、後方として説明するとともに、上下左右方向を便宜的に平面型表示装置の上下左右として表現する。
【００１６】
図２及び図３に示すように、本実施形態の平面型表示装置１０は、平面型表示装置本体１１と、当該平面型表示装置本体１１が載置される置き台２０と、を備えている。
【００１７】
平面型表示装置本体１１は、ＰＤＰからなる映像を表示するための表示パネル１２と、当該表示パネル１２の外周及び背面を覆うケース本体１３と、を備えている。なお、当該表示パネル１２の背面には電気回路が形成された基板１４等が配置されている。当該基板１４は、表示パネル１２の駆動回路の他、テレビジョン受像機として機能させるために必要な各種回路から構成されている。
【００１８】
平面型表示装置本体１１の前面の下方には左右には、小径の孔が複数形成されている開口１５、１５を有している。当該開口１５の背面には、音声を出力するスピーカユニット１６が配置されている。
【００１９】
また、ケース本体１３は、モールド成形品で形成され、表示パネル１２、基板１４、スピーカユニット１６などすべての部品の背面を覆うようになっている。
【００２０】
スピーカユニット１６は、例えば、音響を放出するための振動板を含むスピーカ本体１７と、当該スピーカ本体１７を他の部材に取り付けるための取付部材１８と、当該スピーカ本体１７にオーディオ信号を入力するための入力端子１９と、を含んで構成される。また、スピーカ本体１７と入力端子１９とは電気的に接続され、入力端子１９は、基板１４から出力される音声出力信号と電気的に接続されている。また、スピーカ本体１７、取付部材１８、及び入力端子１９は、一体的に形成されている。なお、このスピーカユニット１６は、この取付部材１８によりケース本体１３に取り付けられている。
【００２１】
また、スピーカ本体１７は、例えば、ダイナミック型スピーカが使用されるが、当該スピーカ本体１７はどのようなものであっても構わない。当該スピーカ本体１７は、使用される用途やスピーカ本体１７を設置するスペースなどを考慮して適宜選択される。
【００２２】
また、当該ケース本体１３の内部には、上下に区分けする仕切体２５が備えられている。当該ケース本体１３の内部は、当該仕切体２５により、表示パネル１２、基板１４などからなる映像を表示する映像表示部としての空間（以下、「映像空間部２６」と称する。）と、スピーカユニット１６からなる音声を出力する音声出力部としての空間（以下、「音声空間部２７」と称する。）と、に区分けされている。
【００２３】
一般的に、スピーカユニット１６の低音再生能力は、当該スピーカユニット１６を設置したキャビネットの低音再生能力のみによって低音再生時の性能が決定される。よって、通常、プラズマディスプレイ装置など薄型の平面型表示装置にあっては、その構造上、キャビネットの大きさは小さくせざるをえず、低音再生能力は低くなる。
【００２４】
本願は上記のような問題点に鑑みて、仕切体２５の一部に当該映像空間部２６と音声空間部２７とを連通させる孔２５ａを備えるようにしている。また、当該孔２５ａには、仕切体２５に対して鉛直下方に延びるダクト３０を備えるようにしている。このようにすれば、映像空間部２６をスピーカ本体１７から出力する音声を再生するための音響容積として機能させることが可能となる。また、本実施形態の平面型表示装置１０は、当該ダクト３０によって、映像空間部２６の内部空間を利用して特定の周波数帯域が調整されるようになっている。具体的には、当該映像空間部２６の大きさに応じて、特定の周波数帯域のピークを引き上げるように（特定の周波数で共振するように）、ダクト３０の長さが調整されるようになっている。本実施形態の平面型表示装置１０は、特にダクト３０の共振周波数を映像空間部２６の共振周波数と一致するようにダクト３０の長さを調整（設定）するようにしている。
【００２５】
このようにすれば、本実施形態の平面型表示装置１０は、当該ダクト３０の長さを調整することによって、特定の周波数帯域のピークを引き上げて出力できるので、低音を容易に増強できる。
【００２６】
なお、本実施形態の映像空間部２６は、本願の映像部として機能するとともに、本実施形態の音声空間部２７は、本願の音声部として機能する。また、本実施形態の孔２５ａ、ダクト３０は、本願の連通手段として機能する。
【００２７】
次に、本願の平面型表示装置において音声が出力される場合の動作について説明する。
【００２８】
スピーカユニット１６の入力端子１９に基板１４からオーディオ信号が供給されると、スピーカ本体１７から再生音が放出される。放出された再生音は、音響容積として機能する映像空間部２６及びダクト３０の長さによって共鳴を起こし、その共鳴された再生音を伝達しながら開口１５に伝達され、当該開口１５から再生音が外部へ放出される。
【００２９】
また、図４に示すように、平面型表示装置１０Ａにおいて、図３に示す実施形態のダクト３０に代えて、単に、仕切体２５の一部に孔３５を形成するようにしてもよい。この場合には、当該映像空間部２６の大きさに応じて、孔３５の大きさを調整することによって、特定の周波数帯域のピークを引き上げて低音を増強できる。
【００３０】
なお、本実施形態の映像空間部２６は、本願の映像部を構成し、音声空間部２７は本願の音声部を構成するとともに、孔２５ａ、ダクト３０は、本願の連通手段を構成する。
【００３１】
以上のように、本実施形態の平面型表示装置１０は、映像空間部２６と音声空間部２７とを仕切る仕切体２５の一部に孔２５ａを形成し、当該孔２５ａにダクト３０を備え、当該映像空間を音声空間の音響容積として機能させるようにしている。また、ダクト３０の長さは、ダクト３０の共振周波数を映像空間部２６の共振周波数と一致するように設定するようにしている。具体的には、本実施形態の平面型表示装置１０は、映像空間部２６を音響容積として利用し、当該映像空間部２６と音声空間部２７とを連通するように配置されているダクト３０の長さを調整するようにしている。
【００３２】
このようにすれば、本実施形態の平面型表示装置１０は、低域の能率を増強させることが可能となり、十分な低域再生機能を有する平面型表示装置として機能する。
【００３３】
また、本実施形態の平面型表示装置１０は、図５及び図６に示すように、映像空間部２６として機能するケース本体３１と、音声空間部２７として機能するケース本体３２と、を備え、当該音声空間部２７として機能するケース本体３２上に映像空間部２６として機能するケース本体３１を載置して構成されても構わない。当該ケース本体３１、３２は、それぞれ箱型に形成されている。このように平面型表示装置１０Ａは、映像空間部２６と音声空間部２７とを、別体として備え、別個独立にそれぞれが機能するとともに分離可能に構成されている。
【００３４】
この場合には、図６に示すように、音声空間部２７として機能するケース本体３２と接する映像空間部２６として機能するケース本体３１の下端部の面上に孔３１ａが形成されているとともに、当該映像空間部２６として機能するケース本体３１と接する音声空間部２７として機能するケース本体３２の上端部の面上に孔３２ａが形成されている。当該孔３１ａ、３２ａは、同形状に形成されているとともに、当該音声空間部２７として機能するケース本体３２上に映像空間部２６として機能するケース本体３１を載置した際に当該孔３１ａ、３２ａ同士が重なるように形成されている。当該孔３１ａ、３２ａの形状は、円形状、矩形状などどのような形状であっても構わない。また、音声空間部２７として機能するケース本体３２と映像空間部２６として機能するケース本体３１とは、図示しないが、板状の取付具などを用いてネジ留めして固定されたり、ケース本体３１、３２のそれぞれ適当な位置に孔を形成し当該孔にフックを引掛けて固定される。なお、当該固定の方式は、どのようなものであっても構わない。
【００３５】
また、当該孔３１ａ、３２ａには、図示しないが、当該孔３１ａ、３２ａを塞ぐ板などの蓋体を備え、映像空間部２６を音響容積として機能させる場合には、当該蓋体を取り外して使用され、映像空間部２６と音声空間部２７とを別個独立に機能させる場合には、当該蓋体を孔３１ａ、３２ａに取り付け、当該孔３１ａ、３２ａを塞いで使用される。
【００３６】
また、図７に示すように、本実施形態の平面型表示装置１０は、映像空間部として機能するケース本体３１の両側部にそれぞれ音声空間部として機能するケース本体３３を固定するようにした平面型表示装置１０Ｂとしても構わない。このような場合には、図示しないが、図５及び図６の実施形態と同様に、当該音声空間部２７として機能するケース本体３３と接する映像空間部２６として機能するケース本体３１の両側部の面上に孔３１ａを形成するとともに、当該孔と重なるように、当該映像空間部２６として機能するケース本体３１と接する音声空間部２７として機能するケース本体３３の側部の面上に孔３２ａを形成すればよい。
【００３７】
また、図５乃至図７に示す実施形態を組合わせて、平面型表示装置１０は、音声空間部２７として機能するケース本体３２（３３）を、平面型表示装置本体１１の下部側又は左右双方側にそれぞれ取付又は取り外し可能な構成としても構わない。
【００３８】
以上に説明したように、平面型表示装置１０Ａ、１０Ｂは、映像空間部２６と音声空間部２７とを別体として構成し、音声空間部２７を平面型表示装置本体１１の下部側又は左右双方側に自由に設置可能に構成すれば、利用者が、設置場所の環境などを考慮して、映像空間部２６に対する音声空間部２７の配置形態を自由に選択できるので便利である。
【００３９】
また、本実施形態の平面型表示装置１０は、図８に示すように、映像空間部２６と音声空間部２７とを別体として構成し、当該映像空間部２６を音声空間部２７上に配置する場合において、スピーカ１７を有するケース本体３２には、当該ケース本体３２の上端部から上方鉛直方向に延びる略円筒状の端部体３３を備えるようにしても構わない。当該端部体３３は、音声空間部２７と映像空間部２６の内部を連通するダクトとして機能し、映像空間部２６として機能するケース本体３１の孔３１ａを介して、当該映像空間部２６として機能するケース本体３１の内部に延びて形成されている。
【００４０】
このようにすれば、音声空間部２７の容積を大きくとれず、スピーカ１７や当該スピーカ１７を取付けるための部材などの部品が多く、端部体３３を音声空間部２７に形成することが出来ない場合や、端部体３３が音声空間部２７に存在すると邪魔になる場合に有効である。
【００４１】
また、本実施形態の平面型表示装置１０は、図９に示すように、映像空間部２６と音声空間部２７とを別体として構成し、当該映像空間部２６を音声空間部２７上に配置する場合において、スピーカ１７を有するケース本体３２には、当該ケース本体３２の上端部から下方鉛直方向に延びる略円筒状の端部体３４を備えるようにしても構わない。当該端部体３４は、音声空間部２７と映像空間部２６とを連通するダクトとして機能し、当該音声空間部２７として機能するケース本体３２の内部に延びて形成されている。
【００４２】
このようにすれば、映像空間部２６に基板１４などの部品が多く、ダクトとして機能する端部体３４を映像空間部２６に形成することが出来ない場合や、端部体３４が映像空間部２６に存在すると邪魔になる場合に有効である。
【００４３】
また、図８及び図９に示す実施形態では、端部体３３、３４を音声空間部２７として機能するケース本体３２に備えるようにしたが、当該端部体３３、３４を映像空間部２６として機能するケース本体３１に備えるようにしても構わない。
【００４４】
なお、本実施形態の映像空間部２６として機能するケース本体３１の下端面、及び音声空間部２７として機能するケース本体３２の上端面は、本願の仕切体として機能するとともに、本実施形態の端部体３３、３４は、本願のダクトとして機能する。
【００４５】
さらに、本願は上記実施形態に限定されることなく、種々の形態にて実施してよい。例えば、ブラウン管テレビなどの表示装置、ラジオ付きカセット、ＣＤプレーヤ、ＭＤプレーヤなどのスピーカを有する機器すべてに適用することが可能である。
【図面の簡単な説明】
【００４６】
【図１】従来の平面型表示装置の構造図である。
【図２】本願の平面型表示装置の正面図である。
【図３】本願の平面型表示装置の構造図である。
【図４】他の実施形態の平面型表示装置を示す構造図である。
【図５】他の実施形態の平面型表示装置を示す正面図である。
【図６】図５に示す平面型表示装置の構成図である。
【図７】他の実施形態の平面型表示装置を示す正面図である。
【図８】他の実施形態の平面型表示装置を示し、図８（ａ）は構成図、図８（ｂ）は図８（ａ）の取付状態図である。
【図９】他の実施形態の平面型表示装置を示し、図９（ａ）は構成図、図９（ｂ）は図９（ａ）の取付状態図である。
【符号の説明】
【００４７】
１０、１０Ａ、１０Ｂ  平面型表示装置
１２  表示パネル
１３  ケース本体
１７  スピーカ
２５  仕切体
２５ａ  孔
２６  映像空間部
２７  音声空間部
３０  ダクト
【図１】
2006229605.tif 000003
【図２】
2006229605.tif 000004
【図３】
2006229605.tif 000005
【図４】
2006229605.tif 000006
【図５】
2006229605.tif 000007
【図６】
2006229605.tif 000008
【図７】
2006229605.tif 000009
【図８】
2006229605.tif 000010
【図９】
2006229605.tif 000011